(57)【要約】【課題】  セルフタイマ機能を備えた撮像装置において、撮影までの残り時間を、被写体に視覚的に認識させる。【課題】  レリーズ操作の一定時間経過後に撮影を行うセルフタイマ手段と、画像表示手段とを有する撮像装置において、撮影までの時間に関する情報を表示する為の前記画像表示手段における表示を、被写体の視認可能な表示サイズ／形態に変更する表示制御手段とを有する。【選択図】        図１
2005257869.tif 000002
【特許請求の範囲】
【請求項１】
レリーズ操作の一定時間経過後に撮影を行うセルフタイマ手段と、
画像表示手段と、
被写体までの距離情報を得る測距手段とを有する撮像装置において、
セルフタイマ機能使用時の測距情報に基づき、
撮影までの時間に関する情報を表示する為の前記画像表示手段における表示を、被写体の視認可能な表示サイズ／形態に変更する表示制御手段とを有することを特徴とする撮像装置。
【請求項２】
前記画像表示手段は、さらに、使用者が視認できる方向を変更できるように構成され、
前記表示制御手段は、さらに、前記画像表示手段の前記方向に応じて、前記画像表示手段の表示を変更するように構成されたことを特徴とする請求項１に記載の撮像装置。
【請求項３】
さらに、撮影までの時間を表示する前記画像表示手段と異なる表示手段を備え、前記表示制御手段の表示制御は、セルフタイマ機能使用時の被写体までの測距情報に基づき、被写体までの距離が所定距離以内にある場合は上記画像表示装置に撮影までの時間を表示し、所定距離を越える場合は、前記画像表示装置及び／または前記表示手段によって、撮影までの時間に関する情報を表示することを特徴とする請求項２に記載の撮像装置。
【請求項４】
前記表示制御手段は、セルフタイマ時における、前記画像表示手段の表示方向と前記撮像手段の光軸となす角度が所定範囲の場合、前記画像表示手段に、撮影までの時間に関する情報の表示を行わないことを特徴とする請求項２または請求項３に記載の撮像装置。
【請求項５】
前記画像表示手段に、表示される前記撮影までの時間に関する情報の表示は、撮影時刻までのカウントダウン表示であることを特徴とする請求項２乃至４にいずれか記載の撮像装置。
【請求項６】
前記撮影までのカウントダウン表示は、前記画像表示手段において、画像撮影時に、撮影可能枚数を表示する個所、または、画像再生時に、何コマ目の画像を表示しているか表示する個所において行うことを特徴とする請求項２乃至５いずれかに記載の撮像装置。
【請求項７】
前記表示制御手段は、セルフタイマ機能使用時の被写体までの測距情報に基づき、被写体までの距離が前記所定距離よりも小さい第二の所定距離以内にある場合は上記画像表示装置に撮影までの時間と共に撮像手段で撮像している画像を表示し、前記第二の所定距離を越え前記所定距離以内の場合は、前記画像表示装置によって、撮影までの時間に関する情報のみを表示することを特徴とする請求項２乃至６いずれかに記載の撮像装置。
【請求項８】
前記画像表示手段における、前記第二の所定距離を越え前記所定距離以内の場合の、撮影までの時間に関する情報の表示は前記画像表示手段の過半の部分を用いて表示することを特徴とする請求項２乃至５いずれかに記載の撮像装置。
【請求項９】
レリーズ操作の一定時間経過後に撮影を行うセルフタイマ手段と、
画像表示手段とを有する撮像装置において、
撮影までの時間に関する情報を表示する為の前記画像表示手段における表示を、被写体の視認可能な表示サイズ／形態に変更する表示制御手段とを有することを特徴とする撮像装置。
【請求項１０】
前記画像表示手段における、撮影までの時間に関する情報の表示は前記画像表示手段の過半の部分を用いて表示することを特徴とする請求項９に記載の撮像装置。
【請求項１１】
前記画像表示手段は、さらに、使用者が視認できる方向を変更できるように構成され、
前記表示制御手段は、さらに、前記画像表示手段の前記方向に応じて、前記画像表示手段の表示を変更するように構成されたことを特徴とする請求項９または１０に記載の撮像装置。
【請求項１２】
前記表示制御手段は、セルフタイマ時における、前記画像表示手段の表示方向と前記撮像手段の光軸となす角度が所定範囲の場合、前記画像表示手段に、撮影までの時間に関する情報の表示を行わないことを特徴とする請求項１１に記載の撮像装置。
【請求項１３】
前記画像表示手段に、表示される前記撮影までの時間に関する情報の表示は、撮影時刻までのカウントダウン表示であることを特徴とする請求項９乃至１２いずれかに記載の撮像装置。
【請求項１４】
さらに、撮影までの時間を表示する前記画像表示手段と異なる表示手段を備え、前記表示制御手段の表示制御は、セルフタイマ機能使用時の被写体までの測距情報に基づき、被写体までの距離が所定距離以内にある場合は上記画像表示装置に撮影までの時間を表示し、所定距離を越える場合は、前記画像表示装置及び／または前記表示手段によって、撮影までの時間に関する情報を表示することを特徴とする請求項９または１０に記載の撮像装置。
【発明の詳細な説明】
【技術分野】
【０００１】
本発明は、レリーズ操作の一定時間経過後に撮影を行うセルフタイマ手段と、撮像装置に備えられたＬＣＤ等の表示装置と、撮像装置のレンズ側に設けられたＬＥＤ等の点灯装置と、被写体までの距離情報を得る測距機能とを有する撮像装置に関する。
【背景技術】
【０００２】
従来の技術では、撮影者が撮像装置から遠く離れて撮影を行う場合、撮影完了を認識させる手段としてセルフタイマ駆動表示（撮像装置レンズ側に設けられたＬＥＤ等）の色彩表示を変えるなどの方法が取られている。
【０００３】
また、特許文献１では、撮影者が撮像装置から遠く離れて撮影を行う場合、自動的にストロボ強制発光モードに入り、撮影が完了した瞬間にストロボを発光して被写体に撮影の完了を認識させる手段が取られている。
【特許文献１】特開平１０−１０４７３４公報
【発明の開示】
【発明が解決しようとする課題】
【０００４】
しかし、従来のセルフタイマ使用時における、撮影完了の瞬間及び撮影までのスパンを被写体に認識させる手段では、撮影までの時間を明確に被写体に認識させることが困難であり、被写体の認識する撮影の瞬間と、実際に撮像装置が撮影を行うタイミングのズレが生じる可能性があった。そこで、セルフタイマ及びリモートコントロール作動時における、これらのズレを無くす事を課題としている。
【課題を解決するための手段】
【０００５】
上記の課題を解決する為、本発明の撮像装置は、レリーズ操作の一定時間経過後に撮影を行うセルフタイマ手段と、撮像装置に備えられたＬＣＤ等の表示装置と、撮像装置のレンズ側に設けられたＬＥＤ等の点灯装置と、被写体までの距離情報を得る測距機能とを有し、セルフタイマ時のレリーズ操作後の被写体までの測距情報に基づき、被写体までの距離が所定距離以内にある場合は上記表示装置に撮影までの時間を表示し、所定距離を越える場合は、上記表示装置への撮影までの時間表示及び上記点灯装置によって、被写体に撮影までの時間を認識させること、を特徴とする。
【０００６】
なお、さらに詳細に説明すれば、本発明は下記の構成によって前記課題を解決できた。
【０００７】
（１）レリーズ操作の一定時間経過後に撮影を行うセルフタイマ手段と、画像表示手段と、被写体までの距離情報を得る測距手段とを有する撮像装置において、セルフタイマ機能使用時の測距情報に基づき、撮影までの時間に関する情報を表示する為の前記画像表示手段における表示を、被写体の視認可能な表示サイズ／形態に変更する表示制御手段とを有することを特徴とする撮像装置。
【０００８】
（２）前記画像表示手段は、さらに、使用者が視認できる方向を変更できるように構成され、前記表示制御手段は、さらに、前記画像表示手段の前記方向に応じて、前記画像表示手段の表示を変更するように構成されたことを特徴とする前記（１）に記載の撮像装置。
【０００９】
さらに、撮影までの時間を表示する前記画像表示手段と異なる表示手段を備え、前記表示制御手段の表示制御は、セルフタイマ機能使用時の被写体までの測距情報に基づき、被写体までの距離が所定距離以内にある場合は上記画像表示装置に撮影までの時間を表示し、所定距離を越える場合は、前記画像表示装置及び／または前記表示手段によって、撮影までの時間に関する情報を表示することを特徴とする前記（１）に記載の撮像装置。
【００１０】
（４）前記表示制御手段は、セルフタイマ時における、前記画像表示手段の表示方向と前記撮像手段の光軸となす角度が所定範囲の場合、前記画像表示手段に、撮影までの時間に関する情報の表示を行わないことを特徴とする前記（２）または（３）に記載の撮像装置。
【００１１】
（５）前記画像表示手段に、表示される前記撮影までの時間に関する情報の表示は、撮影時刻までのカウントダウン表示であることを特徴とする前記（２）乃至（４）にいずれか記載の撮像装置。
【００１２】
（６）前記撮影までのカウントダウン表示は、前記画像表示手段において、画像撮影時に、撮影可能枚数を表示する個所、または、画像再生時に、何コマ目の画像を表示しているか表示する個所において行うことを特徴とする前記（２）乃至（５）いずれかに記載の撮像装置。
【００１３】
（７）前記表示制御手段は、セルフタイマ機能使用時の被写体までの測距情報に基づき、被写体までの距離が前記所定距離よりも小さい第二の所定距離以内にある場合は上記画像表示装置に撮影までの時間と共に撮像手段で撮像している画像を表示し、前記第二の所定距離を越え前記所定距離以内の場合は、前記画像表示装置によって、撮影までの時間に関する情報のみを表示することを特徴とする前記（２）乃至（６）いずれかに記載の撮像装置。
【００１４】
（８）前記画像表示手段における、前記第二の所定距離を越え前記所定距離以内の場合の、撮影までの時間に関する情報の表示は前記画像表示手段の過半の部分を用いて表示することを特徴とする前記（２）乃至（５）いずれかに記載の撮像装置。
【００１５】
（９）レリーズ操作の一定時間経過後に撮影を行うセルフタイマ手段と、画像表示手段とを有する撮像装置において、撮影までの時間に関する情報を表示する為の前記画像表示手段における表示を、被写体の視認可能な表示サイズ／形態に変更する表示制御手段とを有することを特徴とする撮像装置。
【００１６】
（１０）前記画像表示手段における、撮影までの時間に関する情報の表示は前記画像表示手段の過半の部分を用いて表示することを特徴とする前記（９）に記載の撮像装置。
【００１７】
（１１）前記画像表示手段は、さらに、使用者が視認できる方向を変更できるように構成され、前記表示制御手段は、さらに、前記画像表示手段の前記方向に応じて、前記画像表示手段の表示を変更するように構成されたことを特徴とする前記（９）または（１０）に記載の撮像装置。
【００１８】
（１２）前記表示制御手段は、セルフタイマ時における、前記画像表示手段の表示方向と前記撮像手段の光軸となす角度が所定範囲の場合、前記画像表示手段に、撮影までの時間に関する情報の表示を行わないことを特徴とする前記（１１）に記載の撮像装置。
【００１９】
（１３）前記画像表示手段に、表示される前記撮影までの時間に関する情報の表示は、撮影時刻までのカウントダウン表示であることを特徴とする前記（９）乃至（１２）いずれかに記載の撮像装置。
【００２０】
（１４）さらに、撮影までの時間を表示する前記画像表示手段と異なる表示手段を備え、前記表示制御手段の表示制御は、セルフタイマ機能使用時の被写体までの測距情報に基づき、被写体までの距離が所定距離以内にある場合は上記画像表示装置に撮影までの時間を表示し、所定距離を越える場合は、前記画像表示装置及び／または前記表示手段によって、撮影までの時間に関する情報を表示することを特徴とする前記（９）または（１０）に記載の撮像装置。
【発明の効果】
【００２１】
本発明によれば、セルフタイマ時のレリーズ操作後の被写体までの測距情報に基づき、被写体までの距離が所定距離以内にある場合は被写体に認識可能な位置にある上記表示装置に撮影までの時間を表示し、所定距離を越える場合は、上記表示装置への撮影までの時間表示及び上記点灯装置による点灯動作により、被写体に撮影までの時間を容易に認識させることが可能となる。
【発明を実施するための最良の形態】
【００２２】
以下本発明を実施するための最良の形態を、実施例により詳しく説明する。
【実施例】
【００２３】
以下、本発明の実施の形態を図に基づいて説明する。図１は、本発明の実施形態である撮像装置の概略を示すものである。図１において、１は撮像装置であるカメラ本体、２はレリーズスイッチ、３は液晶表示装置、４は前記液晶装置を回動させるヒンジ部、５はレンズ鏡筒、６はストロボ発光部、７はカメラレンズ側に設けられたＬＥＤ、８はファインダーである。
【００２４】
図２乃至図５は、測距情報に基づく被写体までの距離情報から、該画像表示手段の表示方法を変更する場合の実施例である。
【００２５】
まず、図２は、セルフタイマ時のレリーズ操作後の被写体までの測距情報から得られる被写体までの距離Ｌが至近距離（被写体までの距離が所定距離α以内）である場合の該表示装置への撮影までのスパン表示の一例である。この場合、撮影モード時に撮影可能枚数を表示する箇所、もしくは撮影画像再生時に何コマ目の画像を再生しているかを表示する箇所に、撮影までの残り時間を表示する。この時、後述する図３に示すように、該表示装置の画面全体に、撮影までの残り時間を表示してもよい。
【００２６】
図３（ａ）は、セルフタイマ時のレリーズ操作後の被写体までの測距情報から得られる被写体までの距離Ｌが、該表示装置に表示される数値を視認できる範囲内にある場合（この距離をβとすると、α≦Ｌ≦β）の該表示装置への撮影までのスパン表示の一例である。
【００２７】
図３（ｂ）は、セルフタイマ時のレリーズ操作後の被写体までの測距情報から得られる被写体までの距離Ｌが、該表示装置に表示されるアニメーションを視認できる範囲内にある場合（この距離をβとすると、α≦Ｌ≦β）の該表示装置への撮影までのスパン表示の一例である。
【００２８】
上記のように、該表示装置の画面全体に撮影までのスパン表示を撮影までの残り秒数の数値による表示或いはアニメーションによる表示によって行い、被写体に撮影までのスパンを認識させる。また、カメラ前面側に設けられたＬＥＤ７による点灯動作も同時に使用して、両者を同時に使用しても良い。
【００２９】
図４は、セルフタイマ時のレリーズ操作後の被写体までの測距情報から得られる被写体までの距離Ｌが、該表示装置に表示される数値或いはアニメーションを視認できる範囲外にある場合（β≦Ｌ）の該表示装置への撮影までのスパン表示の一例である。この場合、該表示装置の電源をオフし、カメラ前面側に設けられたＬＥＤ７による点灯動作を使用して、被写体に撮影までのスパンを認識させる。点灯動作としては、撮影の瞬間が近づくにつれて上記点灯装置の点灯間隔を短くする手段、点灯装置の色を徐々に変化させていく手段を用いても良い。また、図３の説明で述べたように、該表示装置による全画面表示と該点灯装置による点灯動作の両者を同時に使用しても良い。さらに、被写体向けカウントダウン表示を被写体との距離によって変化させているが、距離によらず被写体が表示器を見ることができる場合に、常にカウントダウン表示をしても良い。
【００３０】
図５は、該画像表示手段の表示の形態を示す実施例である。
【００３１】
図５（ａ）は、撮影モード時に撮影可能枚数を表示する箇所／撮影画像再生時に何コマ目の画像を再生しているかを表示する箇所に、撮影までの残り時間を表示する方法を示したものである。この表示形態は、被写体が前記該画像表示装置上の小さな文字も視認可能な距離（至近距離）にいる場合に有効であり、撮影に至るまで画角を確認できると共に撮影までの残り時間も視認できる。
【００３２】
図５（ｂ）は、該画像表示装置の全面に撮影までの残り時間を表示する方法を示したものである。全面を用いた表示により、ある程度離れた距離に於いても画面上の残り秒数表示を視認可能である。また、画角を確認しやすくする為に、図５（ｃ）のように、残り秒数表示をハーフトーンにしても良い。
【００３３】
図５（ｄ）は、該画像表示装置の一部／全面に撮影までの残り時間を、アニメーションにより表示する方法を示したものである。この場合も、実施例図５（ｃ）同様に、画角を容易に確認できるようアニメーション表示をハーフトーンにしてもよい。また、実施例図５（ａ）で述べた表示方法を同時に用いても良い。
【００３４】
図５（ｅ）は、該画像表示装置の全面を用い、撮影までの残り時間通知を、画像表示装置の色彩変化／点滅／点滅間隔の変化等により行う方法である。また、撮影直前に該画像表示装置の輝度を一時的に上げても良い。これにより、例えば該画像装置から被写体までの距離が大きく該画像表示装置上の残り秒数／アニメーション表示を視認することが困難である場合にも、撮影直前の表示装置の作用により、撮影の瞬間を感知することが可能となる。
【００３５】
図７は、セルフタイマーモードが設定された時の、撮像装置の処理手順を示すフローチャートである。
【図面の簡単な説明】
【００３６】
【図１】（ａ）は本発明の実施形態である撮像装置の背面から見た概略図、（ｂ）は本発明の実施形態である撮像装置の正面から見た概略図である。
【図２】セルフタイマ時のレリーズ操作後の被写体までの測距情報から得られる被写体までの距離Ｌが至近距離（被写体までの距離が所定距離α以内）である場合の該表示装置への撮影までのスパン表示の一例を示す図である。
【図３】（ａ）は、セルフタイマ時のレリーズ操作後の被写体までの測距情報から得られる被写体までの距離Ｌが、該表示装置に表示される数値を視認できる範囲内にある場合（この距離をβとすると、α≦Ｌ≦β）の該表示装置への撮影までのスパン表示の一例を示す図であり、（ｂ）は、セルフタイマ時のレリーズ操作後の被写体までの測距情報から得られる被写体までの距離Ｌが、該表示装置に表示されるアニメーションを視認できる範囲内にある場合（この距離をβとすると、α≦Ｌ≦β）の該表示装置への撮影までのスパン表示の一例を示す図である。
【図４】セルフタイマ時のレリーズ操作後の被写体までの測距情報から得られる被写体までの距離Ｌが、該表示装置に表示される数値或いはアニメーションを視認できる範囲外にある場合（β≦Ｌ）の該表示装置への撮影までのスパン表示の一例を示す図である。
【図５】（ａ）〜（ｅ）は、画像表示手段の表示の形態を示す実施例を示す図である。
【図６】セルフタイマーモードが設定された時の、撮像装置の処理手順を示すフローチャートである。
【符号の説明】
【００３７】
１  カメラ
２  レリーズスイッチ
３  表示装置
４  ヒンジ部
５  レンズ鏡筒
６  ストロボ発光部
７  ＬＥＤ
８  ファインダー
【図１】
2005257869.tif 000003
【図２】
2005257869.tif 000004
【図３】
2005257869.tif 000005
【図４】
2005257869.tif 000006
【図５】
2005257869.tif 000007
【図６】
2005257869.tif 000008